(57)【要約】      （修正有）【課題】多彩なバリエーションを有する装身具に適用することが可能であり、しかも着用者の動きに応じて揺動することにより装飾体上の宝石等がキラキラ輝くばかりか、装飾体は自由に揺動あるいは回動することが可能であってより装飾性に優れており、また部品点数が少なく、その組み付けも簡単な揺れる装身具を提供する。【解決手段】装飾体に一体的に取り付けられ、側面に開口部を備えた自由に揺動する揺動部材１２と、装身具１１本体に取り付けられ、かつ端部に上向きの軸ピン１６を取り付けられた前記揺動部材１２側面の開口部への挿入部を備えた支持アームとを備え、前記揺動部材１２の上部に設けた凹部に前記軸ピン１６の先端を係合し、前記装飾体を揺動自在に保持するようにしたことを特徴とする揺れる装身具１１。【選択図】図９
2019122649.tif 000002
【特許請求の範囲】
【請求項１】
装飾体に一体的に取り付けられ、側面に開口部を備えた自由に揺動する揺動部材と、
装身具本体に取り付けられ、かつ端部に上向きの軸ピンを取り付けられた前記揺動部材側面の開口部への挿入部を備えた支持アームとを備え、
前記揺動部材の上部に設けた凹部に前記軸ピンの先端を係合し、前記装飾体を揺動自在に保持するようにしたことを特徴とする揺れる装身具。
【請求項２】
前記自由に揺動する揺動部材は、その上部に設けた凹部がほぼ円弧状断面に形成されており、前記軸ピンの先端が揺動自在に係合されていることを特徴とする請求項１に記載の揺れる装身具。
【請求項３】
前記軸ピンは、前記支持アームの下方に延びる垂下部を備え、該垂下部によって簡単に脱落することを防止するようにしたことを特徴とする請求項１または２に記載の揺れる装身具。
【請求項４】
前記自由に揺動する揺動部材は、そのハウジング下部に前記支持アームの端部に取り付けた前記軸ピンの垂下部を揺動させるための微細な間隙を設けたことを特徴とする請求項３に記載の揺れる装身具。
【請求項５】
前記自由に揺動する揺動部材は、その側面の開口部が、前記支持アームを介して前後、左右および周方向に揺動させるための形状を備えていることを特徴とする請求項１ないし４のいずれかに記載の揺れる装身具。
【発明の詳細な説明】
【技術分野】
【０００１】
本発明は自在に揺動ないし回動することができる装飾性に優れた装身具に係るものである。
【背景技術】
【０００２】
従来、回転軸を内蔵して宝石台等を備えた装飾部を回転させる、回転あるいは回動機能を持った指輪等の回転装身具が知られている。
同様に、宝石台等を備えた装飾部を吊り構造によって装身具に揺動可能に取り付け、揺動機能を持たせた指輪等の揺動装身具も提案されている。
【０００３】
また回転軸を内蔵して装飾体を揺動自在とした例としては、特開２０１５−３９５４１号公報（特許文献１参照）があり、装身具本体の適宜位置に設けた装飾体を収納する凹部と、該凹部の底面に立設されたピボット状の支柱と、該支柱に取り付けられるピボット軸受状の凹面を設けた軸孔を備え、その周辺に適宜宝石類を配置して、前記装身具本体の凹部に収納した揺動・回転可能な装飾体と、前記装飾体の揺動・回転を許容する隙間を空けて装身具本体の前記凹部の周囲に取り付けることにより、装飾体を揺動・回転可能に保持する装飾体保持手段とを有する揺動・回転装身具が提案されている。
【先行技術文献】
【特許文献】
【０００４】
【特許文献１】特開２０１５−３９５４１号公報
【発明の概要】
【発明が解決しようとする課題】
【０００５】
しかしながら、特開２０１５−３９５４１号公報（特許文献１参照）においては、装身具本体の適宜位置に設けた凹部の底面にピボット状の支柱を立設し、装飾体をこの支柱に揺動・回転可能に吊り下げたに過ぎないため、装飾体の形状等に制約を受け、多彩な装飾性を備えた装身具には適用できないという欠点があった。
【０００６】
本発明は上記した従来の回転装身具や揺動装身具の問題点を改良したものであり、多彩なバリエーションを有する装身具に適用することが可能であり、しかも着用者の動きに応じて揺動することにより装飾体上の宝石等がキラキラ輝くばかりか、装飾体は自由に揺動あるいは回動することが可能であってより装飾性に優れており、また部品点数が少なく、その組み付けも簡単な揺れる装身具を提供するものである。
【課題を解決するための手段】
【０００７】
すなわちこの発明の揺れる装身具は、装飾体に一体的に取り付けられ、側面に開口部を備えた自由に揺動する揺動部材と、
装身具本体に取り付けられ、かつ端部に上向きの軸ピンを取り付けられた前記揺動部材側面の開口部への挿入部を備えた支持アームとを備え、
前記揺動部材の上部に設けた凹部に前記軸ピンの先端を係合し、前記装飾体を揺動自在に保持するようにしたことを特徴とするものである。
【０００８】
この発明の揺れる装身具において、前記自由に揺動する揺動部材は、その上部に設けた凹部がほぼ円弧状断面に形成されており、前記軸ピンの先端が揺動自在に係合されていることをも特徴とするものである。
【０００９】
この発明の揺れる装身具において、前記軸ピンは、前記支持アームの下方に延びる垂下部を備え、該垂下部によって簡単に脱落することを防止するようにしたことをも特徴とするものである。
【００１０】
この発明の揺れる装身具において、前記自由に揺動する揺動部材は、そのハウジング下部に前記支持アームの端部に取り付けた前記軸ピンの垂下部を揺動させるための微細な間隙を設けたことをも特徴とするものである。
【００１１】
この発明の揺れる装身具において、前記自由に揺動する揺動部材は、その側面の開口部が、前記支持アームを介して前後、左右および周方向に揺動させるための形状を備えていることをも特徴とするものである。
【発明の効果】
【００１２】
請求項１の発明によれば、揺動部材側面の開口部への挿入部を備えた支持アームの端部に軸ピンを立設し、装飾体を揺動部材を介してこの軸ピンに揺動自在に吊り下げたため、装飾体の形状等に制約を受けることなく、多彩な装飾性を備えた装身具に適用することができる。
また請求項２の発明によれば、前記自由に揺動する揺動部材は、その上部に設けた凹部がほぼ円弧状断面に形成されており、前記軸ピンの先端が揺動自在に係合しているため、無理なく揺動させることができるようになった。
【００１３】
請求項３の発明によれば、前記軸ピンは、前記支持アームの下方に延びる垂下部を備え、該垂下部によって簡単に脱落することを防止するようにしたので、軸ピンの取付けが容易でかつ簡単には抜け落ちないようにすることができるようになった。
請求項４の発明によれば、前記自由に揺動する揺動部材は、そのハウジング下部に前記支持アームの端部に取り付けた前記軸ピンの垂下部を揺動させるための微細な間隙を設けたため、装飾体が跳ねるような動きをすることがなく、スムーズに揺動させることができるようになった。
【００１４】
請求項５の発明によれば、前記自由に揺動する揺動部材は、その側面の開口部が、前記支持アームを介して前後、左右および周方向に揺動させるための形状を備えており、ほとんど制約なく装飾体が揺動ないし回動することが可能な揺れる装身具を提供することができる。
【図面の簡単な説明】
【００１５】
【図１】本発明の揺れる装身具をブローチに適用した第１の実施例を示す概略側面図である。
【図２】その概略透視図である。
【図３】その概略平面図である。
【図４】その概略透視図である。
【図５】その概略透視斜視図である。
【図６】その概略側面断面図である。
【図７】揺動部材が触れる状態を示す概略平面図である。
【図８】その概略側面断面図である。
【図９】その概略正面図である。
【図１０】その分解状態の概略側面断面図である。
【図１１】その組付け段階を示す概略側面断面図である。
【図１２】その組付けた状態の概略斜視断面図である。
【図１３】揺動部材に装飾体を取り付けた状態を示す概略側面断面図である。
【図１４】本発明の第２の実施例を示す概略断面図である。
【図１５】装飾体をテニスボールに適用した状態の概略正面図である。
【図１６】装飾体を野球ボールに適用した状態の概略正面図である。
【図１７】装飾体を星形のイヤリングに適用した状態の概略正面図である。
【図１８】装飾体を三つの星形の組み合わせとした状態の概略正面図である。
【図１９】装飾体をイヤリングの装飾部に適用した状態の概略正面図である。
【図２０】この発明の揺れる装身具の変形例を示し、その使用状態の概略斜視図である。
【図２１】その概略側面断面図である。
【発明を実施するための形態】
【００１６】
以下、図面に基いて本発明の揺れる装身具の実施の形態について詳細に説明する。
図１ないし図１３は本発明の揺れる装身具をネックレス等に適用した第１の実施例を示すものである。
図１ないし図６において、第１実施例の揺れる装身具１１は、後述する装飾体に一体的に取り付けられるものであって、側面に開口部１３を備えた自由に揺動する揺動部材１２と、装身具本体（図示を省略）に取り付けられ、かつ端部に上向きの軸ピン１６を取り付けられた前記揺動部材１２の側面の開口部１３への挿入部１５を備えた支持アーム１４とを備えている。
その上で、前記揺動部材１２の上部に設けた凹部１２ａに前記軸ピン１６の先端を係合し、後述する装飾体を揺動自在に保持するようにしたものである。
【００１７】
前記揺れる装身具１１においては、前記自由に揺動する揺動部材１２は、その上部に設けた凹部１２ａがほぼ円弧状断面に形成されており、前記軸ピン１６の先端が無理なく揺動することができるように係合されている。
また前記揺れる装身具１１においては、前記軸ピン１６は、前記支持アーム１４の下方に延びる垂下部１７を備え、該垂下部１７によって簡単に脱落することを防止できるようになっている。
【００１８】
そして図７〜図９に示すように、前記揺れる装身具１１においては、前記自由に揺動する揺動部材１２は、そのハウジング下部１２ｂに、前記支持アーム１４の端部に取り付けた前記軸ピン１６の垂下部１７を揺動させるための微細な間隙１２ｃが設けられている。
【００１９】
前記揺れる装身具１１をより詳しく述べると、前記自由に揺動する揺動部材１２の側面の開口部１３が、前記支持アーム１４を介して前後、左右および周方向に揺動させるための形状を備えている。
すなわち開口部１３の上下の幅ｈは、揺動部材１２が前後や左右に振れることを許容する寸法に形成されており、また左右の幅ｌは揺動部材１２が周方向に回動することを許容する寸法に形成されている。
したがって、ネックレス等に適用した揺れる装身具１１は、装着者の身体の動きに応じて自在に前後左右に振れたり、周方向に回動するのである。
【００２０】
図１０ないし図１２は、前記揺れる装身具１１を組み付けようとする段階を示すものである。
図１０の揺れる装身具１１は揺動部材１２と支持アーム１４と組み付け前の状態であり、図１１のように、揺動部材１２の側面の開口部１３に、前記支持アーム１４の端部に取り付けた前記軸ピン１６をその上端側からはめ込み、次いで前記軸ピン１６の垂下部１７をはめ込むことにより組み付けは完了する。図１２は組付け完了時の状態を示すものであり、前記軸ピン１６は前記揺動部材１２の開口部１３から簡単に抜け落ちることはない。
なお、前記揺動部材１２と支持アーム１４の組み付け後において、前記軸ピン１６の前記開口部１３からの脱落を確実に防止するためには、前記揺動部材１２の自由な揺動を阻害しない程度に前記開口部１３の一部を板材（図示せず）等によりふざぐようにすればよい。
【００２１】
図１３は、前記揺れる装身具１１を構成する揺動部材１２の上部外面に取付アーム１２ｄを突設し、その先端に装飾体２１を取り付けた状態を示している。なお、前記装飾体２１は前記揺動部材１２を包み込むように配設され、かつ適宜の形態を有するように形成されている。
例えば、前記装飾体２１は前面が膨出した円弧状断面を備えており、前記軸ピン１６で支承される場合の重心位置Ｐが前記装飾体２１が正面を向くように支持されている。したがって、前記装飾体２１は重心位置Ｐの前後において均等な重さとなることが望ましく、バランスが不均一な場合には重りＷ等で調整すればよい。
【００２２】
図１４は、本発明の揺れる装身具の第２の実施例を示すものである。
前記第１の実施例とこの第２の実施例との相違点は、揺動部材３１に装着される支持アーム３２の軸ピン３４が、前記支持アーム３２の端部に取り付けた取付孔３３に装着されていることである。このようにすると、前記支持アーム３２と軸ピン３４の素材を変えることができ、前記軸ピン３４の素材をより硬質のものに変更することができ、前記揺動部材３２をより耐久性のあるものとすることができる。
【００２３】
図１５〜図１９は、この発明の揺れる装身具を種々のモチーフに適用した例を示すものである。
図１５においては装飾体をラケット４２に取り付けたテニスボール４１のパーツに適用した例を、図１６は装飾体をバット５２に取り付けた野球ボール５１のパーツに適用した例を、図１７は装飾体を星形のイヤリングパーツ６１に適用した例をそれぞれ示している。図１７において６２は星形のイヤリングパーツ６１にチェーン等を介して取り付けた付属のパーツである。図１８は装飾体をワイヤ７２等で連結した三つの星形パーツ７１の組み合わせとした例を示すものである。
また図１９は、装飾体をイヤリングの装飾部８１のパーツに適用した例を示している。
いずれの例においても、各パーツを装着者の身体の動きに応じて自在に前後左右に振れたり、周方向に回動するようになっており、その装飾性を飛躍的に高めることができる。
【００２４】
図２０および図２１はこの発明の揺れる装身具の変形例を示すものであり、支持アーム９１の末端を着用者の身体９３に当接するハート形等のスペーサ９２の上部に連結固定したものである。こうすることによってこの発明の揺れる装身具における装飾体の動きを制限することなく、自在に揺動させることができるようになるのである。
【産業上の利用可能性】
【００２５】
本発明は以上の通りの構成を有するものであり、上記各実施例において説明したネックレスやイヤリングとしてのみならず、ペンダントやブレスレット、ブローチその他の広範囲な装身具に応用することができる。
なお、前記装飾体には宝石類を取り付けることもでき、装飾性を備えていれば貴金属素材や宝石類に代えて種々の装飾材料を適用できることはいうまでもない。
【符号の説明】
【００２６】
１１  揺れる装身具
１２  揺動部材
１２ａ  凹部
１２ｂ  ハウジング下部
１２ｃ  間隙
１２ｄ  取付アーム
１３  開口部
１４  支持アーム
１５  挿入部
１６  軸ピン
１７  垂下部
２１  装飾体
３１  揺動部材
３２  支持アーム
３３  取付孔
３４  軸ピン
４１  テニスボール
４２  ラケット
５１  野球ボール
５２  バット
６１  星形のイヤリングパーツ
６２  付属のパーツ
７１  星形パーツ
７２  ワイヤ
８１  イヤリングの装飾部
９１  支持アーム
９２  スペーサ
９３  身体
ｈ  上下の幅
ｌ  左右の幅
Ｐ  重心位置
Ｗ  重り
【図１】
2019122649.tif 000003
【図２】
2019122649.tif 000004
【図３】
2019122649.tif 000005
【図４】
2019122649.tif 000006
【図５】
2019122649.tif 000007
【図６】
2019122649.tif 000008
【図７】
2019122649.tif 000009
【図８】
2019122649.tif 000010
【図９】
2019122649.tif 000011
【図１０】
2019122649.tif 000012
【図１１】
2019122649.tif 000013
【図１２】
2019122649.tif 000014
【図１３】
2019122649.tif 000015
【図１４】
2019122649.tif 000016
【図１５】
2019122649.tif 000017
【図１６】
2019122649.tif 000018
【図１７】
2019122649.tif 000019
【図１８】
2019122649.tif 000020
【図１９】
2019122649.tif 000021
【図２０】
2019122649.tif 000022
【図２１】
2019122649.tif 000023
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
装飾体に一体的に取り付けられ、側面に開口部を備え、前記開口部と連通する内部空間を有する揺動部材と、
装身具本体に取り付けられ、かつ端部に上向きの軸ピンを取り付けられた前記揺動部材側面の開口部への挿入部を備えた支持アームとを備え、
前記揺動部材の内部空間の上部に、上に凸となるように設けた凹部と前記軸ピンの先端を係合し、前記装飾体を揺動自在に保持するようにしたことを特徴とする揺れる装身具。
【請求項２】
前記自由に揺動する揺動部材は、その上部に設けた凹部がほぼ円弧状断面に形成されており、前記軸ピンの先端が揺動自在に係合されていることを特徴とする請求項１に記載の揺れる装身具。
【請求項３】
前記軸ピンは、前記支持アームの下方に延びる垂下部を備え、該垂下部によって簡単に脱落することを防止するようにしたことを特徴とする請求項１または２に記載の揺れる装身具。
【請求項４】
前記自由に揺動する揺動部材は、その内部空間下部に前記支持アームの端部に取り付けた前記軸ピンの垂下部を揺動させるための微細な間隙を設けたことを特徴とする請求項３に記載の揺れる装身具。
【請求項５】
前記自由に揺動する揺動部材は、その側面の開口部が、前記支持アームを介して前後、左右および周方向に揺動させるための形状を備えていることを特徴とする請求項１ないし４のいずれかに記載の揺れる装身具。
【手続補正２】
【補正対象書類名】明細書
【補正対象項目名】全文
【補正方法】変更
【補正の内容】
【発明の詳細な説明】
【技術分野】
【０００１】
本発明は自在に揺動ないし回動することができる装飾性に優れた装身具に係るものである。
【背景技術】
【０００２】
従来、回転軸を内蔵して宝石台等を備えた装飾部を回転させる、回転あるいは回動機能を持った指輪等の回転装身具が知られている。
同様に、宝石台等を備えた装飾部を吊り構造によって装身具に揺動可能に取り付け、揺動機能を持たせた指輪等の揺動装身具も提案されている。
【０００３】
また回転軸を内蔵して装飾体を揺動自在とした例としては、特開２０１５−３９５４１号公報（特許文献１参照）があり、装身具本体の適宜位置に設けた装飾体を収納する凹部と、該凹部の底面に立設されたピボット状の支柱と、該支柱に取り付けられるピボット軸受状の凹面を設けた軸孔を備え、その周辺に適宜宝石類を配置して、前記装身具本体の凹部に収納した揺動・回転可能な装飾体と、前記装飾体の揺動・回転を許容する隙間を空けて装身具本体の前記凹部の周囲に取り付けることにより、装飾体を揺動・回転可能に保持する装飾体保持手段とを有する揺動・回転装身具が提案されている。
【先行技術文献】
【特許文献】
【０００４】
【特許文献１】特開２０１５−３９５４１号公報
【発明の概要】
【発明が解決しようとする課題】
【０００５】
しかしながら、特開２０１５−３９５４１号公報（特許文献１参照）においては、装身具本体の適宜位置に設けた凹部の底面にピボット状の支柱を立設し、装飾体をこの支柱に揺動・回転可能に吊り下げたに過ぎないため、装飾体の形状等に制約を受け、多彩な装飾性を備えた装身具には適用できないという欠点があった。
【０００６】
本発明は上記した従来の回転装身具や揺動装身具の問題点を改良したものであり、多彩なバリエーションを有する装身具に適用することが可能であり、しかも着用者の動きに応じて揺動することにより装飾体上の宝石等がキラキラ輝くばかりか、装飾体は自由に揺動あるいは回動することが可能であってより装飾性に優れており、また部品点数が少なく、その組み付けも簡単な揺れる装身具を提供するものである。
【課題を解決するための手段】
【０００７】
すなわちこの発明の揺れる装身具は、装飾体に一体的に取り付けられ、側面に開口部を備え、前記開口部と連通する内部空間を有する揺動部材と、装身具本体に取り付けられ、かつ端部に上向きの軸ピンを取り付けられた前記揺動部材側面の開口部への挿入部を備えた支持アームとを備え、前記揺動部材の内部空間の上部に、上に凸となるように設けた凹部と前記軸ピンの先端を係合し、前記装飾体を揺動自在に保持するようにしたことを特徴とするものである。
【０００８】
この発明の揺れる装身具において、前記自由に揺動する揺動部材は、その上部に設けた凹部がほぼ円弧状断面に形成されており、前記軸ピンの先端が揺動自在に係合されていることをも特徴とするものである。
【０００９】
この発明の揺れる装身具において、前記軸ピンは、前記支持アームの下方に延びる垂下部を備え、該垂下部によって簡単に脱落することを防止するようにしたことをも特徴とするものである。
【００１０】
この発明の揺れる装身具において、前記自由に揺動する揺動部材は、その内部空間下部に前記支持アームの端部に取り付けた前記軸ピンの垂下部を揺動させるための微細な間隙を設けたことをも特徴とするものである。
【００１１】
この発明の揺れる装身具において、前記自由に揺動する揺動部材は、その側面の開口部が、前記支持アームを介して前後、左右および周方向に揺動させるための形状を備えていることをも特徴とするものである。
【発明の効果】
【００１２】
請求項１の発明によれば、揺動部材側面の開口部への挿入部を備えた支持アームの端部に軸ピンを立設し、装飾体を揺動部材を介してこの軸ピンに揺動自在に吊り下げたため、装飾体の形状等に制約を受けることなく、多彩な装飾性を備えた装身具に適用することができる。
また請求項２の発明によれば、前記自由に揺動する揺動部材は、その上部に設けた凹部がほぼ円弧状断面に形成されており、前記軸ピンの先端が揺動自在に係合しているため、無理なく揺動させることができるようになった。
【００１３】
請求項３の発明によれば、前記軸ピンは、前記支持アームの下方に延びる垂下部を備え、該垂下部によって簡単に脱落することを防止するようにしたので、軸ピンの取付けが容易でかつ簡単には抜け落ちないようにすることができるようになった。
請求項４の発明によれば、前記自由に揺動する揺動部材は、その内部空間下部に前記支持アームの端部に取り付けた前記軸ピンの垂下部を揺動させるための微細な間隙を設けたため、装飾体が跳ねるような動きをすることがなく、スムーズに揺動させることができるようになった。
【００１４】
請求項５の発明によれば、前記自由に揺動する揺動部材は、その側面の開口部が、前記支持アームを介して前後、左右および周方向に揺動させるための形状を備えており、ほとんど制約なく装飾体が揺動ないし回動することが可能な揺れる装身具を提供することができる。
【図面の簡単な説明】
【００１５】
【図１】本発明の揺れる装身具をブローチに適用した第１の実施例を示す概略側面図である。
【図２】その概略透視図である。
【図３】その概略平面図である。
【図４】その概略透視図である。
【図５】その概略透視斜視図である。
【図６】その概略側面断面図である。
【図７】揺動部材が触れる状態を示す概略平面図である。
【図８】その概略側面断面図である。
【図９】その概略正面図である。
【図１０】その分解状態の概略側面断面図である。
【図１１】その組付け段階を示す概略側面断面図である。
【図１２】その組付けた状態の概略斜視断面図である。
【図１３】揺動部材に装飾体を取り付けた状態を示す概略側面断面図である。
【図１４】本発明の第2の実施例を示す概略断面図である。
【図１５】装飾体をテニスボールに適用した状態の概略正面図である。
【図１６】装飾体を野球ボールに適用した状態の概略正面図である。
【図１７】装飾体を星形のイヤリングに適用した状態の概略正面図である。
【図１８】装飾体を三つの星形の組み合わせとした状態の概略正面図である。
【図１９】装飾体をイヤリングの装飾部に適用した状態の概略正面図である。
【図２０】この発明の揺れる装身具の変形例を示し、その使用状態の概略斜視図である。
【図２１】その概略側面断面図である。
【発明を実施するための形態】
【００１６】
以下、図面に基いて本発明の揺れる装身具の実施の形態について詳細に説明する。
図１ないし図１３は本発明の揺れる装身具をネックレス等に適用した第１の実施例を示すものである。
図１ないし図６において、第1実施例の揺れる装身具１１は、後述する装飾体に一体的に取り付けられるものであって、側面に開口部１３を備えた自由に揺動する揺動部材１２と、装身具本体（図示を省略）に取り付けられ、かつ端部に上向きの軸ピン１６を取り付けられた前記揺動部材１２の側面の開口部１３への挿入部１５を備えた支持アーム１４とを備えている。
その上で、前記揺動部材１２の上部に設けた凹部１２ａに前記軸ピン１６の先端を係合し、後述する装飾体を揺動自在に保持するようにしたものである。
【００１７】
前記揺れる装身具１１においては、前記自由に揺動する揺動部材１２は、その上部に設けた凹部１２ａがほぼ円弧状断面に形成されており、前記軸ピン１６の先端が無理なく揺動することができるように係合されている。
また前記揺れる装身具１１においては、前記軸ピン１６は、前記支持アーム１４の下方に延びる垂下部１７を備え、該垂下部１７によって簡単に脱落することを防止できるようになっている。
【００１８】
そして図７〜図９に示すように、前記揺れる装身具１１においては、前記自由に揺動する揺動部材１２は、その内部空間下部１２ｂに、前記支持アーム１４の端部に取り付けた前記軸ピン１６の垂下部１７を揺動させるための微細な間隙１２ｃが設けられている。
【００１９】
前記揺れる装身具１１をより詳しく述べると、前記自由に揺動する揺動部材１２の側面の開口部１３が、前記支持アーム１４を介して前後、左右および周方向に揺動させるための形状を備えている。
すなわち開口部１３の上下の幅ｈは、揺動部材１２が前後や左右に振れることを許容する寸法に形成されており、また左右の幅ｌは揺動部材１２が周方向に回動することを許容する寸法に形成されている。
したがって、ネックレス等に適用した揺れる装身具１１は、装着者の身体の動きに応じて自在に前後左右に振れたり、周方向に回動するのである。
【００２０】
図１０ないし図１２は、前記揺れる装身具１１を組み付けようとする段階を示すものである。
図１０の揺れる装身具１１は揺動部材１２と支持アーム１４と組み付け前の状態であり、図１１のように、揺動部材１２の側面の開口部１３に、前記支持アーム１４の端部に取り付けた前記軸ピン１６をその上端側からはめ込み、次いで前記軸ピン１６の垂下部１７をはめ込むことにより組み付けは完了する。図１２は組付け完了時の状態を示すものであり、前記軸ピン１６は前記揺動部材１２の開口部１３から簡単に抜け落ちることはない。
【００２１】
図１３は、前記揺れる装身具１１を構成する揺動部材１２の上部外面に取付アーム１２ｄを突設し、その先端に装飾体２１を取り付けた状態を示している。なお、前記装飾体２１は前記揺動部材１２を包み込むように配設され、かつ適宜の形態を有するように形成されている。
例えば、前記装飾体２１は前面が膨出した円弧状断面を備えており、前記軸ピン１６で支承される場合の重心位置ｐが前記装飾体２１が正面を向くように支持されている。したがって、前記装飾体２１は重心位置ｐの前後において均等な重さとなることが望ましく、バランスが不均一な場合には重りｗ等で調整すればよい。
【００２２】
図１４は、本発明の揺れる装身具の第２の実施例を示すものである。
前記第１の実施例とこの第２の実施例との相違点は、揺動部材３１に装着される支持アーム３２の軸ピン３４が、前記支持アーム３２の端部に取り付けた取付孔３３に装着されていることである。このようにすると、前記支持アーム３２と軸ピン３４の素材を変えることができ、前記軸ピン３４の素材をより硬質のものに変更することができ、前記揺動部材１２をより耐久性のあるものとすることができる。
【００２３】
図１５〜図１９は、この発明の揺れる装身具を種々のモチーフに適用した例を示すものである。
図１５においては装飾体をラケット４２に取り付けたテニスボール４１のパーツに適用した例を、図１６は装飾体をバット５２に取り付けた野球ボール５１のパーツに適用した例を、図１７は装飾体を星形のイヤリングパーツ６１に適用した例をそれぞれ示している。図１７において６２は星形のイヤリングパーツ６１にチェーン等を介して取り付けた付属のパーツである。図１８は装飾体をワイヤ７２等で連結した三つの星形パーツ７１の組み合わせとした例を示すものである。
また図１９は、装飾体をイヤリングの装飾部８１のパーツに適用した例を示している。
いずれの例においても、各パーツを装着者の身体の動きに応じて自在に前後左右に振れたり、周方向に回動するようになっており、その装飾性を飛躍的に高めることができる。
【００２４】
図２０および図２１はこの発明の揺れる装身具の変形例を示すものであり、支持アーム９１の末端を着用者の身体９３に当接するハート形等のスペーサ９２の上部に連結固定したものである。こうすることによってこの発明の揺れる装身具における装飾体の動きを制限することなく、自在に揺動させることができるようになるのである。
【産業上の利用可能性】
【００２５】
本発明は以上の通りの構成を有するものであり、上記各実施例において説明したネックレスやイヤリングとしてのみならず、ペンダントやブレスレット、ブローチその他の広範囲な装身具に応用することができる。
なお、前記装飾体には宝石類を取り付けることもでき、装飾性を備えていれば貴金属素材や宝石類に代えて種々の装飾材料を適用できることはいうまでもない。
【符号の説明】
【００２６】
１１  揺れる装身具
１２  揺動部材
１２ａ  凹部
１２ｂ  内部空間下部
１２ｃ  間隙
１２ｄ  取付アーム
１３  開口部
１４  支持アーム
１５  挿入部
１６  軸ピン
１７  垂下部
２１  装飾体
３１  揺動部材
３２  支持アーム
３３  取付孔
３４  軸ピン
４１  テニスボール
４２  ラケット
５１  野球ボール
５２  バット
６１  星形のイヤリングパーツ
６２  付属のパーツ
７１  星形パーツ
７２  ワイヤ
８１  イヤリングの装飾部
９１  支持アーム
９２  スペーサ
９３  身体
ｈ  上下の幅
ｌ  左右の幅
ｐ  重心位置
ｗ  重り
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
装飾体に一体的に取り付けられ、側面に開口部を備え、前記開口部と連通する内部空間を有する揺動部材と、
装身具本体に取り付けられ、かつ端部に上向きの軸ピンを取り付けられた前記揺動部材側面の開口部への挿入部を備えた支持アームとを備え、
前記揺動部材の内部空間の上部に、上に凸となるように設けた凹部と前記軸ピンの先端を係合し、前記装飾体を揺動自在に保持するようにしたことを特徴とする揺れる装身具。
【請求項２】
前記揺動部材は、その上部に設けた凹部がほぼ円弧状断面に形成されており、前記軸ピンの先端が揺動自在に係合されていることを特徴とする請求項１に記載の揺れる装身具。
【請求項３】
前記軸ピンは、前記支持アームの下方に延びる垂下部を備え、該垂下部によって簡単に脱落することを防止するようにしたことを特徴とする請求項１または２に記載の揺れる装身具。
【請求項４】
前記揺動部材は、その内部空間下部に前記支持アームの端部に取り付けた前記軸ピンの垂下部を揺動させるための微細な間隙を設けたことを特徴とする請求項３に記載の揺れる装身具。
【請求項５】
前記揺動部材は、その側面の開口部が、前記支持アームを介して前後、左右および周方向に揺動させるための形状を備えていることを特徴とする請求項１ないし４のいずれかに記載の揺れる装身具。
【手続補正２】
【補正対象書類名】明細書
【補正対象項目名】全文
【補正方法】変更
【補正の内容】
【発明の詳細な説明】
【技術分野】
【０００１】
本発明は自在に揺動ないし回動することができる装飾性に優れた装身具に係るものである。
【背景技術】
【０００２】
従来、回転軸を内蔵して宝石台等を備えた装飾部を回転させる、回転あるいは回動機能を持った指輪等の回転装身具が知られている。
同様に、宝石台等を備えた装飾部を吊り構造によって装身具に揺動可能に取り付け、揺動機能を持たせた指輪等の揺動装身具も提案されている。
【０００３】
また回転軸を内蔵して装飾体を揺動自在とした例としては、特開２０１５−３９５４１号公報（特許文献１参照）があり、装身具本体の適宜位置に設けた装飾体を収納する凹部と、該凹部の底面に立設されたピボット状の支柱と、該支柱に取り付けられるピボット軸受状の凹面を設けた軸孔を備え、その周辺に適宜宝石類を配置して、前記装身具本体の凹部に収納した揺動・回転可能な装飾体と、前記装飾体の揺動・回転を許容する隙間を空けて装身具本体の前記凹部の周囲に取り付けることにより、装飾体を揺動・回転可能に保持する装飾体保持手段とを有する揺動・回転装身具が提案されている。
【先行技術文献】
【特許文献】
【０００４】
【特許文献１】特開２０１５−３９５４１号公報
【発明の概要】
【発明が解決しようとする課題】
【０００５】
しかしながら、特開２０１５−３９５４１号公報（特許文献１参照）においては、装身具本体の適宜位置に設けた凹部の底面にピボット状の支柱を立設し、装飾体をこの支柱に揺動・回転可能に吊り下げたに過ぎないため、装飾体の形状等に制約を受け、多彩な装飾性を備えた装身具には適用できないという欠点があった。
【０００６】
本発明は上記した従来の回転装身具や揺動装身具の問題点を改良したものであり、多彩なバリエーションを有する装身具に適用することが可能であり、しかも着用者の動きに応じて揺動することにより装飾体上の宝石等がキラキラ輝くばかりか、装飾体は自由に揺動あるいは回動することが可能であってより装飾性に優れており、また部品点数が少なく、その組み付けも簡単な揺れる装身具を提供するものである。
【課題を解決するための手段】
【０００７】
すなわちこの発明の揺れる装身具は、装飾体に一体的に取り付けられ、側面に開口部を備え、前記開口部と連通する内部空間を有する揺動部材と、装身具本体に取り付けられ、かつ端部に上向きの軸ピンを取り付けられた前記揺動部材側面の開口部への挿入部を備えた支持アームとを備え、前記揺動部材の内部空間の上部に、上に凸となるように設けた凹部と前記軸ピンの先端を係合し、前記装飾体を揺動自在に保持するようにしたことを特徴とするものである。
【０００８】
この発明の揺れる装身具において、前記揺動部材は、その上部に設けた凹部がほぼ円弧状断面に形成されており、前記軸ピンの先端が揺動自在に係合されていることをも特徴とするものである。
【０００９】
この発明の揺れる装身具において、前記軸ピンは、前記支持アームの下方に延びる垂下部を備え、該垂下部によって簡単に脱落することを防止するようにしたことをも特徴とするものである。
【００１０】
この発明の揺れる装身具において、前記揺動部材は、その内部空間下部に前記支持アームの端部に取り付けた前記軸ピンの垂下部を揺動させるための微細な間隙を設けたことをも特徴とするものである。
【００１１】
この発明の揺れる装身具において、前記揺動部材は、その側面の開口部が、前記支持アームを介して前後、左右および周方向に揺動させるための形状を備えていることをも特徴とするものである。
【発明の効果】
【００１２】
請求項１の発明によれば、揺動部材側面の開口部への挿入部を備えた支持アームの端部に軸ピンを立設し、装飾体を揺動部材を介してこの軸ピンに揺動自在に吊り下げたため、装飾体の形状等に制約を受けることなく、多彩な装飾性を備えた装身具に適用することができる。
また請求項２の発明によれば、前記揺動部材は、その上部に設けた凹部がほぼ円弧状断面に形成されており、前記軸ピンの先端が揺動自在に係合しているため、無理なく揺動させることができるようになった。
【００１３】
請求項３の発明によれば、前記軸ピンは、前記支持アームの下方に延びる垂下部を備え、該垂下部によって簡単に脱落することを防止するようにしたので、軸ピンの取付けが容易でかつ簡単には抜け落ちないようにすることができるようになった。
請求項４の発明によれば、前記揺動部材は、その内部空間下部に前記支持アームの端部に取り付けた前記軸ピンの垂下部を揺動させるための微細な間隙を設けたため、装飾体が跳ねるような動きをすることがなく、スムーズに揺動させることができるようになった。
【００１４】
請求項５の発明によれば、前記揺動部材は、その側面の開口部が、前記支持アームを介して前後、左右および周方向に揺動させるための形状を備えており、ほとんど制約なく装飾体が揺動ないし回動することが可能な揺れる装身具を提供することができる。
【図面の簡単な説明】
【００１５】
【図１】本発明の揺れる装身具をブローチに適用した第１の実施例を示す概略側面図である。
【図２】その概略透視図である。
【図３】その概略平面図である。
【図４】その概略透視図である。
【図５】その概略透視斜視図である。
【図６】その概略側面断面図である。
【図７】揺動部材が触れる状態を示す概略平面図である。
【図８】その概略側面断面図である。
【図９】その概略正面図である。
【図１０】その分解状態の概略側面断面図である。
【図１１】その組付け段階を示す概略側面断面図である。
【図１２】その組付けた状態の概略斜視断面図である。
【図１３】揺動部材に装飾体を取り付けた状態を示す概略側面断面図である。
【図１４】本発明の第2の実施例を示す概略断面図である。
【図１５】装飾体をテニスボールに適用した状態の概略正面図である。
【図１６】装飾体を野球ボールに適用した状態の概略正面図である。
【図１７】装飾体を星形のイヤリングに適用した状態の概略正面図である。
【図１８】装飾体を三つの星形の組み合わせとした状態の概略正面図である。
【図１９】装飾体をイヤリングの装飾部に適用した状態の概略正面図である。
【図２０】この発明の揺れる装身具の変形例を示し、その使用状態の概略斜視図である。
【図２１】その概略側面断面図である。
【発明を実施するための形態】
【００１６】
以下、図面に基いて本発明の揺れる装身具の実施の形態について詳細に説明する。
図１ないし図１３は本発明の揺れる装身具をネックレス等に適用した第１の実施例を示すものである。
図１ないし図６において、第1実施例の揺れる装身具１１は、後述する装飾体に一体的に取り付けられるものであって、側面に開口部１３を備えた自由に揺動する揺動部材１２と、装身具本体（図示を省略）に取り付けられ、かつ端部に上向きの軸ピン１６を取り付けられた前記揺動部材１２の側面の開口部１３への挿入部１５を備えた支持アーム１４とを備えている。
その上で、前記揺動部材１２の上部に設けた凹部１２ａに前記軸ピン１６の先端を係合し、後述する装飾体を揺動自在に保持するようにしたものである。
【００１７】
前記揺れる装身具１１においては、前記自由に揺動する揺動部材１２は、その上部に設けた凹部１２ａがほぼ円弧状断面に形成されており、前記軸ピン１６の先端が無理なく揺動することができるように係合されている。
また前記揺れる装身具１１においては、前記軸ピン１６は、前記支持アーム１４の下方に延びる垂下部１７を備え、該垂下部１７によって簡単に脱落することを防止できるようになっている。
【００１８】
そして図７〜図９に示すように、前記揺れる装身具１１においては、前記自由に揺動する揺動部材１２は、その内部空間下部１２ｂに、前記支持アーム１４の端部に取り付けた前記軸ピン１６の垂下部１７を揺動させるための微細な間隙１２ｃが設けられている。
【００１９】
前記揺れる装身具１１をより詳しく述べると、前記自由に揺動する揺動部材１２の側面の開口部１３が、前記支持アーム１４を介して前後、左右および周方向に揺動させるための形状を備えている。
すなわち開口部１３の上下の幅ｈは、揺動部材１２が前後や左右に振れることを許容する寸法に形成されており、また左右の幅ｌは揺動部材１２が周方向に回動することを許容する寸法に形成されている。
したがって、ネックレス等に適用した揺れる装身具１１は、装着者の身体の動きに応じて自在に前後左右に振れたり、周方向に回動するのである。
【００２０】
図１０ないし図１２は、前記揺れる装身具１１を組み付けようとする段階を示すものである。
図１０の揺れる装身具１１は揺動部材１２と支持アーム１４と組み付け前の状態であり、図１１のように、揺動部材１２の側面の開口部１３に、前記支持アーム１４の端部に取り付けた前記軸ピン１６をその上端側からはめ込み、次いで前記軸ピン１６の垂下部１７をはめ込むことにより組み付けは完了する。図１２は組付け完了時の状態を示すものであり、前記軸ピン１６は前記揺動部材１２の開口部１３から簡単に抜け落ちることはない。
【００２１】
図１３は、前記揺れる装身具１１を構成する揺動部材１２の上部外面に取付アーム１２ｄを突設し、その先端に装飾体２１を取り付けた状態を示している。なお、前記装飾体２１は前記揺動部材１２を包み込むように配設され、かつ適宜の形態を有するように形成されている。
例えば、前記装飾体２１は前面が膨出した円弧状断面を備えており、前記軸ピン１６で支承される場合の重心位置ｐが前記装飾体２１が正面を向くように支持されている。したがって、前記装飾体２１は重心位置ｐの前後において均等な重さとなることが望ましく、バランスが不均一な場合には重りｗ等で調整すればよい。
【００２２】
図１４は、本発明の揺れる装身具の第２の実施例を示すものである。
前記第１の実施例とこの第２の実施例との相違点は、揺動部材３１に装着される支持アーム３２の軸ピン３４が、前記支持アーム３２の端部に取り付けた取付孔３３に装着されていることである。このようにすると、前記支持アーム３２と軸ピン３４の素材を変えることができ、前記軸ピン３４の素材をより硬質のものに変更することができ、前記揺動部材１２をより耐久性のあるものとすることができる。
【００２３】
図１５〜図１９は、この発明の揺れる装身具を種々のモチーフに適用した例を示すものである。
図１５においては装飾体をラケット４２に取り付けたテニスボール４１のパーツに適用した例を、図１６は装飾体をバット５２に取り付けた野球ボール５１のパーツに適用した例を、図１７は装飾体を星形のイヤリングパーツ６１に適用した例をそれぞれ示している。図１７において６２は星形のイヤリングパーツ６１にチェーン等を介して取り付けた付属のパーツである。図１８は装飾体をワイヤ７２等で連結した三つの星形パーツ７１の組み合わせとした例を示すものである。
また図１９は、装飾体をイヤリングの装飾部８１のパーツに適用した例を示している。
いずれの例においても、各パーツを装着者の身体の動きに応じて自在に前後左右に振れたり、周方向に回動するようになっており、その装飾性を飛躍的に高めることができる。
【００２４】
図２０および図２１はこの発明の揺れる装身具の変形例を示すものであり、支持アーム９１の末端を着用者の身体９３に当接するハート形等のスペーサ９２の上部に連結固定したものである。こうすることによってこの発明の揺れる装身具における装飾体の動きを制限することなく、自在に揺動させることができるようになるのである。
【産業上の利用可能性】
【００２５】
本発明は以上の通りの構成を有するものであり、上記各実施例において説明したネックレスやイヤリングとしてのみならず、ペンダントやブレスレット、ブローチその他の広範囲な装身具に応用することができる。
なお、前記装飾体には宝石類を取り付けることもでき、装飾性を備えていれば貴金属素材や宝石類に代えて種々の装飾材料を適用できることはいうまでもない。
【符号の説明】
【００２６】
１１  揺れる装身具
１２  揺動部材
１２ａ  凹部
１２ｂ  内部空間下部
１２ｃ  間隙
１２ｄ  取付アーム
１３  開口部
１４  支持アーム
１５  挿入部
１６  軸ピン
１７  垂下部
２１  装飾体
３１  揺動部材
３２  支持アーム
３３  取付孔
３４  軸ピン
４１  テニスボール
４２  ラケット
５１  野球ボール
５２  バット
６１  星形のイヤリングパーツ
６２  付属のパーツ
７１  星形パーツ
７２  ワイヤ
８１  イヤリングの装飾部
９１  支持アーム
９２  スペーサ
９３  身体
ｈ  上下の幅
ｌ  左右の幅
ｐ  重心位置
ｗ  重り